(57)【要約】【課題】取り外し可能な札取付具を提供する。【解決手段】糸状部材１０と、第１差込部材３０と、第２差込部材４０と、筒状部材２０とを備える。筒状部材２０は、第１凸部と、第２凸部とを備える。第２差込部材４０は、先端部と、基部と、筒状部材２０から引抜く方向に力を加えると先端部に対して変位する可動当接部とを備える。第１差込部材３０は、先端部と、基部と、筒状部材２０から引抜く方向に力を加えても先端部に対して変位しない固定当接部とを備え、筒状部材２０からの引抜きが可能となることを特徴とする。【選択図】図１
2020106575.tif 000002
【特許請求の範囲】
【請求項１】
糸状部材と、
前記糸状部材の一端に取り付けられた第１差込部材と、
前記糸状部材の他端に取り付けられた第２差込部材と、
差込孔を有し、前記差込孔の一方側に前記第１差込部材が差込まれ、前記差込孔の他方側に前記第２差込部材が差込まれる筒状部材と、を備え、
前記筒状部材は、
前記差込孔内の一方側に形成された第１凸部と、
前記差込孔内の他方側に形成された第２凸部と、を備え、
前記第２差込部材は、
前記差込孔に差込まれた状態で前記第２凸部の奥側に位置する先端部と、
前記第２凸部の手前側に位置する基部と、
前記第２凸部に当接し、前記差込孔から引抜く方向に力を加えると前記先端部に対して変位する可動当接部と、を備え、
前記第１差込部材は、
前記筒状部材に差込まれた状態で前記第１凸部の奥側に位置する先端部と、
前記第１凸部の手前側に位置する基部と、
前記第１凸部に当接し、前記差込孔から引抜く方向に力を加えても前記先端部に対して変位しない固定当接部と、を備え、前記差込孔からの引抜きが可能となることを特徴とする札取付具。
【請求項２】
前記第１差込部材は、
前記基部から前記先端部にわたって形成された、前記糸状部材を収容する収容部と、
前記固定当接部が形成された側の一対の面と、
前記一対の面間において対向する一対の平面と、を備え、
前記収容部は、前記基部の前記先端部側および前記先端部の前記基部側において、前記一対の平面間を貫通する貫通孔部を有し、
前記貫通孔部は、前記固定当接部に対向する位置において、前記糸状部材を挟み込んで固定する挟持部を有することを特徴とする請求項１に記載の札取付具。
【請求項３】
前記第１差込部材の前記一対の面は、
前記基部のテーパー状の第１面と、
前記第１面から連続する前記固定当接部の当接面と、
前記当接面から連続する前記先端部のテーパー状の第２面と、
を含むことを特徴とする請求項２に記載の札取付具。
【発明の詳細な説明】
【技術分野】
【０００１】
本発明は、商品に表示札を取り付けるための札取付具に関する。
【背景技術】
【０００２】
従来から、店頭に陳列する商品（例えば、衣料品）に対して、値段や品質等を表示した表示札を取り付けるための札取付具が知られている（例えば、特許文献１参照）。従来の札取付具は、一旦商品に取り付けられると、ハサミ等の工具で切断しない限り取り外すことができない。このため、例えば、店頭のスタッフが札取付具を取り外す際にハサミで商品を傷つけてしまうという問題や、商品を購入した客が商品をすぐに使用したくてもハサミがないと札取付具を取り外すことができないという問題がある。
【先行技術文献】
【特許文献】
【０００３】
【特許文献１】特開２００５−３７６４０号公報
【発明の概要】
【発明が解決しようとする課題】
【０００４】
本発明は上記事情に鑑みてなされたものであって、その課題とするところは、取り外し可能な札取付具を提供することにある。
【課題を解決するための手段】
【０００５】
上記課題を解決するために、本発明に係る札取付具は、
糸状部材と、
前記糸状部材の一端に取り付けられた第１差込部材と、
前記糸状部材の他端に取り付けられた第２差込部材と、
差込孔を有し、前記差込孔の一方側に前記第１差込部材が差込まれ、前記差込孔の他方側に前記第２差込部材が差込まれる筒状部材と、を備え、
前記筒状部材は、
前記差込孔内の一方側に形成された第１凸部と、
前記差込孔内の他方側に形成された第２凸部と、を備え、
前記第２差込部材は、
前記差込孔に差込まれた状態で前記第２凸部の奥側に位置する先端部と、
前記第２凸部の手前側に位置する基部と、
前記第２凸部に当接し、前記差込孔から引抜く方向に力を加えると前記先端部に対して変位する可動当接部と、を備え、
前記第１差込部材は、
前記筒状部材に差込まれた状態で前記第１凸部の奥側に位置する先端部と、
前記第１凸部の手前側に位置する基部と、
前記第１凸部に当接し、前記差込孔から引抜く方向に力を加えても前記先端部に対して変位しない固定当接部と、を備え、前記差込孔からの引抜きが可能となることを特徴とする。
【０００６】
上記札取付具において、
前記第１差込部材は、
前記基部から前記先端部にわたって形成された、前記糸状部材を収容する収容部と、
前記固定当接部が形成された側の一対の面と、
前記一対の面間において対向する一対の平面と、を備え、
前記収容部は、前記基部の前記先端部側および前記先端部の前記基部側において、前記一対の平面間を貫通する貫通孔部を有し、
前記貫通孔部は、前記固定当接部に対向する位置において、前記糸状部材を挟み込んで固定する挟持部を有することが好ましい。
【０００７】
上記札取付具において、
前記第１差込部材の前記一対の面は、
前記基部のテーパー状の第１面と、
前記第１面から連続する前記固定当接部の当接面と、
前記当接面から連続する前記先端部のテーパー状の第２面と、
を含むよう構成できる。
【発明の効果】
【０００８】
本発明によれば、取り外し可能な札取付具を提供することができる。
【図面の簡単な説明】
【０００９】
【図１】本発明に係る札取付具に表示札を取り付けた状態を示す図である。
【図２】本発明に係る札取付具を示す図であって、（Ａ）は正面図、（Ｂ）は左側面図、（Ｃ）は右側面図、（Ｄ）は平面図、（Ｅ）はＥ−Ｅ断面図、（Ｆ）はＦ−Ｆ端面図である。
【図３】本発明に係る札取付具の筒状部材を示す図であって、（Ａ）は側面図、（Ｂ）はＢ−Ｂ断面図である。
【図４】（Ａ）は本発明に係る札取付具の第１差込部材を示す図である。（Ｂ）は本発明に係る札取付具の第２差込部材を示す図である。
【発明を実施するための形態】
【００１０】
以下、添付図面を参照して、本発明に係る札取付具について説明する。
【００１１】
図１に、本発明の一実施形態に係る札取付具１に表示札２を取り付けた状態を示す。表示札２は、商品（例えば、衣料品）の値段や品質等を表示したものである。
【００１２】
図２に、本実施形態に係る札取付具１の（Ａ）正面図、（Ｂ）左側面図、（Ｃ）右側面図、（Ｄ）平面図、（Ｅ）（Ｄ）のＥ−Ｅ線におけるＥ−Ｅ断面図、（Ｆ）（Ａ）のＦ−Ｆ線におけるＦ−Ｆ端面図を示す。背面図は正面図と同一にあらわれるため省略する。また、底面図は平面図と同一にあらわれるため省略する。なお、以下では、正面側を前側、背面側を後側、平面側を上側、底面側を下側とする。
【００１３】
札取付具１は、糸状部材１０と、筒状部材２０と、第１差込部材３０と、第２差込部材４０とを備える。
【００１４】
糸状部材１０は、樹脂（例えば、ポリエチレン）からなる糸で構成される。糸状部材１０の一端には第１差込部材３０が取り付けられており、糸状部材１０の他端には第２差込部材４０が取り付けられている。図１に示すように、第１差込部材３０および第２差込部材４０の双方が筒状部材２０に差込まれると、糸状部材１０はループ状になる。
【００１５】
筒状部材２０は、樹脂（例えば、ポリエチレンおよびポリプロピレン）からなり、円筒形状の外観を有する。図３に示すように、筒状部材２０は、断面長方形状の差込孔２１を有し、差込孔２１の一方側に第１差込部材３０が差込まれ、差込孔２１の他方側に第２差込部材４０が差込まれる。
【００１６】
また、筒状部材２０は、差込孔２１内の一方側の上面に形成された半円柱形状の第１凸部２２と、差込孔２１内の他方側の下面に形成された半円柱形状の第２凸部２３と、を備える。第１凸部２２および／または第２凸部２３の大きさ、形状等は適宜変更できる。
【００１７】
第１差込部材３０は、樹脂（例えば、ポリエチレンおよびポリプロピレン）からなり、図４（Ａ）に示すように、先端部３１と、基部３２と、固定当接部３３と、収容部３４とを備える。本実施形態では、固定当接部３３は、先端部３１の一部であり、先端部３１の上下方向の両端に形成される。
【００１８】
先端部３１は、第１差込部材３０が筒状部材２０に差込まれた状態で、第１凸部２２の奥側に位置する。先端部３１は、上下方向に対向する面として、テーパー状の面３５ａと、第１凸部２２に当接する面３５ｂとを有し、一対の面３５ａ間において前後方向に対向する面として、平面３６ａを有する。
【００１９】
基部３２は、第１差込部材３０が筒状部材２０に差込まれた状態で、第１凸部２２の手前側に位置する。基部３２は、上下方向に対向する面として、テーパー状の面３５ｃと、面３５ｃから連続する面３５ｄとを有し、一対の面３５ｃ、３５ｄ間において前後方向に対向する面として、平面３６ｂを有する。
【００２０】
固定当接部３３は、第１差込部材３０が筒状部材２０に差込まれた状態で、第１凸部２２に当接する。固定当接部３３は、差込孔２１から第１差込部材３０を引抜く方向に力を加えても、先端部３１に対して変位しない。言い換えれば、面３５ｂと面３５ｃとのなす角は変化しない。例えば、固定当接部３３が上下方向に圧縮される場合は、先端部３１の基部３２側および基部３２の先端部３１側も上下方向に圧縮される。これにより、第１差込部材３０は、差込孔２１からの引抜きが可能となる。
【００２１】
収容部３４は、図２（Ｅ）および図４（Ａ）に示すように、基部３２から先端部３１にわたって形成され、糸状部材１０の一端側を収容する。収容部３４は、基部３２の先端部３１側（面３５ｃ側）および先端部３１の基部３２側において、一対の平面３６ａ、３６ｂ間を貫通する貫通孔部３７を有する。
【００２２】
貫通孔部３７は、差込孔２１から第１差込部材３０を引抜く方向に力を加えた場合に、第１差込部材３０が上下方向にわずかに変形する（圧縮される）のを可能にする。このため、差込孔２１から引抜く方向に大きな力を加えることで、第１差込部材３０を差込孔２１から比較的容易に引抜くことができる。
【００２３】
貫通孔部３７は、一対の面３５ａ〜３５ｃと対向する面３７ａ〜３７ｃを有する。面３５ａ−面３７ａ間における第１差込部材３０の上下方向の厚みと、面３５ｃ−面３７ｃ間における第１差込部材３０の上下方向の厚みは、ほぼ同じである。
【００２４】
貫通孔部３７は、固定当接部３３に対向する位置において、糸状部材１０を挟み込んで固定する一対の挟持部３８を有する。挟持部３８間の間隔は、例えば、基部３２の面３５ｄ側における収容部３４の直径よりも小さい値に設計されている。本実施形態では、挟持部３８により糸状部材１０を挟み込んで固定することができるため、接着剤等の固定手段を用いることなく、糸状部材１０の一端に第１差込部材３０を取り付けることができる。
【００２５】
なお、本実施形態では、糸状部材１０の保持力を所定の大きさ以上に保つため、貫通孔部３７の範囲を基部３２の面３５ｃ側までにとどめ、基部３２の面３５ｄ側まで広げていない。
【００２６】
第２差込部材４０は、樹脂（例えば、ポリエチレンおよびポリプロピレン）からなり、図４（Ｂ）に示すように、先端部４１と、中間部４２と、基部４３と、可動当接部４４とを備える。
【００２７】
先端部４１は、第２差込部材４０が筒状部材２０に差込まれた状態で、第２凸部２３の奥側に位置する。また、先端部４１は、差込孔２１の第２凸部２３側の面に対向する側の面４５が、テーパー状に形成されている。
【００２８】
先端部４１の上下方向の中央部分には中間部４２が設けられ、先端部４１の上下方向の両端部分には可動当接部４４が設けられている。中間部４２の先端部４１側とは逆側に、基部４３が設けられている。基部４３は、第２差込部材４０が筒状部材２０に差込まれた状態で、第２凸部２３の手前側に位置する。
【００２９】
可動当接部４４は、先端部４１のテーパー状の面４５に沿って直方体形状に形成され、中間部４２からは離間している。可動当接部４４は、第２差込部材４０が筒状部材２０に差込まれた状態で第２凸部２３に当接し、差込孔２１から第２差込部材４０を引抜く方向に力を加えると、先端部４１および中間部４２に対して変位する。具体的には、可動当接部４４が第２凸部２３にひっかかって上下方向に広がり、可動当接部４４と中間部４２とのなす角が大きくなる。これにより、第２差込部材４０を差込孔２１内に保持する力が強まるので、第２差込部材４０は、差込孔２１からの引抜きが不可能となる。
【００３０】
結局、本実施形態に係る札取付具１によれば、第１差込部材３０および第２差込部材４０の双方を筒状部材２０に差込んだ状態（図１の状態）にした後でも、第１差込部材３０を筒状部材２０から取り外すことができる。その結果、札取付具１を取り外す際の作業効率が向上し、ハサミ等の工具が不要になるため利便性も向上する。
【００３１】
以上、本発明に係る札取付具の実施形態について説明したが、本発明は上記実施形態に限定されるものではない。
【００３２】
例えば、本発明の第１差込部材は、筒状部材２０に差込まれた状態で第１凸部２２の奥側に位置する先端部と、第１凸部２２の手前側に位置する基部と、第１凸部２２に当接し、差込孔２１から第１差込部材を引抜く方向に力を加えても先端部に対して変位しない固定当接部とを備え、差込孔２１からの引抜きが可能となるのであれば、適宜構成を変更できる。
【００３３】
また、本発明の第１差込部材は、糸状部材１０を収容する収容部が貫通孔部を有することが好ましい。本発明の貫通孔部は、本発明の固定当接部に対向する位置において、糸状部材１０を挟み込んで固定する挟持部３８を有するのであれば、適宜構成を変更できる。
【００３４】
本発明の挟持部は、糸状部材１０を挟み込んで固定するのであれば、適宜構成を変更できる。
【００３５】
本発明の第２差込部材は、差込孔２１に差込まれた状態で第２凸部２３の奥側に位置する先端部と、第２凸部２３の手前側に位置する基部と、第２凸部２３に当接し、差込孔２１から第２差込部材を引抜く方向に力を加えると先端部に対して変位する可動当接部と、を備えるのであれば、適宜構成を変更できる。
【００３６】
本発明の筒状部材は、一方側に第１差込部材が差込まれるとともに他方側に第２差込部材が差込まれる差込孔と、差込孔内の一方側に形成された第１凸部と、差込孔内の他方側に形成された第２凸部とを備えるのであれば、適宜構成を変更できる。
【符号の説明】
【００３７】
１    札取付具
２    表示札
１０    糸状部材
２０    筒状部材
２１    差込孔
２２    第１凸部
２３    第２凸部
３０    第１差込部材
３１    先端部
３２    基部
３３    固定当接部
３４    収容部
３７    貫通孔部
３８    挟持部
４０    第２差込部材
４１    先端部
４２    中間部
４３    基部
４４    可動当接部
【図１】
2020106575.tif 000003
【図２】
2020106575.tif 000004
【図３】
2020106575.tif 000005
【図４】
2020106575.tif 000006